(57)【要約】【課題】複数の表示部を備える場合に、消費電力が増大するのを抑制することが可能な表示装置を提供する。【解決手段】この液晶表示装置（表示装置）は、表示部１１と、表示部２１と、表示部１１および２１を駆動する１つの駆動ＩＣ１２と、駆動ＩＣ１２から出力されるプリチャージ信号ＤＳＧ、Ｈ系制御信号ＳＨおよびＶ系制御信号ＳＶを切り替えて表示部１１または２１に入力するスイッチ回路１４および２３とを備えている。【選択図】図１
2008096740.tif 000002
【特許請求の範囲】
【請求項１】
第１表示部と、
第２表示部と、
前記第１表示部および前記第２表示部を駆動する１つの駆動回路と、
前記駆動回路から出力される制御信号を切り替えて前記第１表示部または前記第２表示部に入力するスイッチ回路とを備える、表示装置。
【請求項２】
前記第１表示部が設けられた第１の基板と、前記第２表示部が設けられた第２の基板とをさらに備え、
前記スイッチ回路は、前記第１の基板に設けられた第１スイッチ回路と、前記第２の基板に設けられた第２スイッチ回路とを含む、請求項１に記載の表示装置。
【請求項３】
前記第１スイッチ回路は、オン状態の場合に、前記駆動回路から出力される制御信号を前記第１表示部に供給するとともに、オフ状態の場合に、前記駆動回路から出力される制御信号を前記第１表示部に供給しない第１スイッチを含み、
前記第２スイッチ回路は、オン状態の場合に、前記駆動回路から出力される制御信号を前記第２表示部に供給するとともに、オフ状態の場合に、前記駆動回路から出力される制御信号を前記第２表示部に供給しない第２スイッチを含む、請求項２に記載の表示装置。
【請求項４】
前記駆動回路は、前記第１スイッチをオン状態にするとともに、前記第２スイッチをオフ状態にする第１選択信号、または、前記第２スイッチをオン状態にするとともに、前記第１スイッチをオフ状態にする第２選択信号を前記第１スイッチ回路および前記第２スイッチ回路に出力する、請求項３に記載の表示装置。
【請求項５】
前記駆動回路は、前記第１選択信号と前記第２選択信号とを交互に前記第１スイッチ回路および前記第２スイッチ回路に出力する、請求項４に記載の表示装置。
【請求項６】
前記第１選択信号および前記第２選択信号の電圧を変換するための電圧変換回路をさらに備える、請求項４または５に記載の表示装置。
【請求項７】
前記第１表示部が設けられた第１の基板と、前記第２表示部が設けられた第２の基板とをさらに備え、
前記スイッチ回路は、前記第１の基板に設けられた第３スイッチ回路を含み、
前記第３スイッチ回路は、前記駆動回路から出力される制御信号を前記第１表示部に供給する第１の状態と、前記駆動回路から出力される制御信号を前記第２表示部に供給する第２の状態とを切り替えるための第３スイッチを含む、請求項１に記載の表示装置。
【請求項８】
前記駆動回路は、前記第３スイッチの第１の状態および第２の状態の切り替え制御を行う前記第３選択信号を前記第３スイッチ回路に出力する、請求項７に記載の表示装置。
【請求項９】
前記駆動回路は、前記第３スイッチの第１の状態および第２の状態を交互に切り替えるように前記第３選択信号を前記第３スイッチ回路に出力する、請求項８に記載の表示装置。
【請求項１０】
前記第３選択信号の電圧を変換するための電圧変換回路をさらに備える、請求項８または９に記載の表示装置。
【請求項１１】
複数の表示部と、
前記複数の表示部を駆動する１つの駆動回路と、
前記駆動回路から出力される制御信号が前記複数の表示部のいずれかに入力されるように切り替えるスイッチ回路とを備える、表示装置。
【発明の詳細な説明】
【技術分野】
【０００１】
本発明は、表示装置に関し、特に、複数の表示部を備えた表示装置に関する。
【背景技術】
【０００２】
従来、２つの表示部を備えた携帯電話（表示装置）が知られている（たとえば、特許文献１参照）。この特許文献１に開示された携帯電話には、液晶表示画面と裏面液晶表示画面とが設けられている。
【０００３】
【特許文献１】特開２００２−２０９００１号公報
【発明の開示】
【発明が解決しようとする課題】
【０００４】
しかしながら、上記特許文献１に開示された従来の携帯電話（表示装置）では、液晶表示画面を駆動する駆動回路と、裏面液晶表示画面を駆動する駆動回路とがそれぞれ別個に設けられていると考えられるので、その２つの駆動回路をそれぞれ駆動させることに起因して、消費電力が増大するという問題点があると考えられる。
【０００５】
この発明は、上記のような課題を解決するためになされたものであり、この発明の１つの目的は、複数の表示部を備える場合に、消費電力が増大するのを抑制することが可能な表示装置を提供することである。
【課題を解決するための手段および発明の効果】
【０００６】
上記目的を達成するために、この発明の第１の局面における表示装置は、第１表示部と、第２表示部と、第１表示部および第２表示部を駆動する１つの駆動回路と、駆動回路から出力される制御信号を切り替えて第１表示部または第２表示部に入力するスイッチ回路とを備える。なお、制御信号とは、第１表示部または第２表示部の表示動作を制御するための信号である。
【０００７】
この発明の第１の局面による表示装置では、上記のような、第１表示部および第２表示部を駆動する１つの駆動回路を設けることによって、第１表示部を駆動する駆動回路と第２表示部を駆動する駆動回路とをそれぞれ別個に設ける場合と異なり、１つの駆動回路により第１表示部および第２表示部を駆動することができるので、消費電力が増大するのを抑制することができるとともに、回路基板の面積を縮小化することができる。また、駆動回路から出力される制御信号が第１表示部または第２表示部のいずれか一方に入力されるように切り替えるスイッチ回路を設けることによって、駆動回路が１つの表示部に対する制御信号を生成して、その生成された制御信号をスイッチ回路により第１表示部および第２表示部にそれぞれ切り替えて出力することができるので、容易に１つの駆動回路を用いて２つの第１表示部および第２表示部を制御することができる。
【０００８】
上記第１の局面による表示装置において、好ましくは、第１表示部が設けられた第１の基板と、第２表示部が設けられた第２の基板とをさらに備え、スイッチ回路は、第１の基板に設けられた第１スイッチ回路と、第２の基板に設けられた第２スイッチ回路とを含む。このように構成すれば、第１スイッチ回路および第２スイッチ回路が、それぞれ、駆動回路から出力される制御信号を第１表示部および第２表示部に入力させるか否かのみを制御するという簡単な制御により、駆動回路から出力される制御信号が第１表示部または第２表示部のいずれか一方に入力されるように切り替えることができるので、駆動回路から出力される制御信号を第１表示部または第２表示部のいずれか一方に入力されるように制御する１つのスイッチ回路を用いる場合に比べて、各スイッチ回路の回路構成を簡単化することができる。
【０００９】
上記スイッチ回路が第１スイッチ回路および第２スイッチ回路を含む構成において、好ましくは、第１スイッチ回路は、オン状態の場合に、駆動回路から出力される制御信号を第１表示部に供給するとともに、オフ状態の場合に、駆動回路から出力される制御信号を第１表示部に供給しない第１スイッチを含み、第２スイッチ回路は、オン状態の場合に、駆動回路から出力される制御信号を第２表示部に供給するとともに、オフ状態の場合に、駆動回路から出力される制御信号を第２表示部に供給しない第２スイッチを含む。このように構成すれば、第１スイッチおよび第２スイッチにより、駆動回路から出力される制御信号を第１表示部および第２表示部に入力させるか否かを容易に制御することができる。
【００１０】
この場合において、好ましくは、駆動回路は、第１スイッチをオン状態にするとともに、第２スイッチをオフ状態にする第１選択信号、または、第２スイッチをオン状態にするとともに、第１スイッチをオフ状態にする第２選択信号を第１スイッチ回路および第２スイッチ回路に出力する。このように構成すれば、第１選択信号および第２選択信号により、容易に、駆動回路から出力される制御信号を第１表示部または第２表示部のいずれか一方に入力させることができる。これにより、第１表示部または第２表示部のいずれか一方を表示させることができる。
【００１１】
上記駆動回路が第１選択信号または第２選択信号を出力する構成において、好ましくは、駆動回路は、第１選択信号と第２選択信号とを交互に第１スイッチ回路および第２スイッチ回路に出力する。このように構成すれば、駆動回路から第１選択信号が出力されている場合には、第１表示部に制御信号が入力されるとともに、駆動回路から第２選択信号が出力されている場合には、第２表示部に制御信号が入力されるので、第１表示部および第２表示部の両方を表示させることができる。
【００１２】
上記駆動回路が第１選択信号または第２選択信号を出力する構成において、好ましくは、第１選択信号および第２選択信号の電圧を変換するための電圧変換回路をさらに備える。このように構成すれば、容易に、第１選択信号および第２選択信号の電圧を第１スイッチおよび第２スイッチのオン状態およびオフ状態を切り替えることが可能な電圧に変換することができる。
【００１３】
上記第１の局面による表示装置において、好ましくは、第１表示部が設けられた第１の基板と、第２表示部が設けられた第２の基板とをさらに備え、スイッチ回路は、第１の基板に設けられた第３スイッチ回路を含み、第３スイッチ回路は、駆動回路から出力される制御信号を第１表示部に供給する第１の状態と、駆動回路から出力される制御信号を第２表示部に供給する第２の状態とを切り替えるための第３スイッチを含む。このように構成すれば、１つの第３スイッチにより、容易に、駆動回路から出力される制御信号を第１表示部または第２表示部のいずれか一方に入力させることができるとともに、回路基板の面積を縮小化することができる。
【００１４】
この場合において、好ましくは、駆動回路は、第３スイッチの第１の状態および第２の状態の切り替え制御を行う第３選択信号を第３スイッチ回路に出力する。このように構成すれば、第３選択信号により、容易に、第３スイッチの第１の状態と第２の状態とを切り替えることができる。
【００１５】
上記駆動回路が第３選択信号を出力する構成において、好ましくは、駆動回路は、第３スイッチの第１の状態および第２の状態を交互に切り替えるように第３選択信号を第３スイッチ回路に出力する。このように構成すれば、第１の状態の場合には、第１表示部に制御信号が入力されるとともに、第２の状態の場合には、第２表示部に制御信号が入力されるので、第１表示部および第２表示部の両方を表示させることができる。
【００１６】
上記駆動回路が第３選択信号を出力する構成において、好ましくは、第３選択信号の電圧を変換するための電圧変換回路をさらに備える。このように構成すれば、容易に、第３選択信号の電圧を第３スイッチの第１の状態および第２の状態を切り替えることが可能な電圧に変換することができる。
【００１７】
この発明の第２の局面における表示装置は、複数の表示部と、複数の表示部を駆動する１つの駆動回路と、駆動回路から出力される制御信号が複数の表示部のいずれかに入力されるように切り替えるスイッチ回路とを備える。
【００１８】
この発明の第２の局面による表示装置では、上記のような、複数の表示部を駆動する１つの駆動回路を設けることによって、各表示部を駆動する駆動回路をそれぞれ別個に設ける場合と異なり、１つの駆動回路により複数の表示部を駆動することができるので、消費電力が増大するのを抑制することができるとともに、回路基板の面積を縮小化することができる。また、駆動回路から出力される制御信号が複数の表示部のいずれかに入力されるように切り替えるスイッチ回路を設けることによって、駆動回路が１つの表示部に対する制御信号を生成して、その生成された制御信号をスイッチ回路により各表示部にそれぞれ切り替えて出力することができるので、容易に１つの駆動回路を用いて複数の表示部を制御することができる。
【発明を実施するための最良の形態】
【００１９】
以下、本発明の実施形態を図面に基づいて説明する。
【００２０】
（第１実施形態）
図１および図２は、本発明の第１実施形態による液晶表示装置の構成を示した概略図である。まず、図１および図２を参照して、本発明の第１実施形態による液晶表示装置の構成について説明する。なお、この第１実施形態では、表示装置の一例である液晶表示装置に本発明を適用した場合について説明する。
【００２１】
この第１実施形態による液晶表示装置は、図１および図２に示すように、メイン基板１０と、サブ基板２０とを備えている。なお、メイン基板１０およびサブ基板２０は、それぞれ、本発明の「第１の基板」および「第２の基板」の一例である。また、メイン基板１０とサブ基板２０とは、ＦＰＣ（フレキシブルプリント配線板）３０を介して電気的に接続されている。
【００２２】
メイン基板１０上には、表示部１１と、駆動ＩＣ１２と、レベルシフタ１３ａ、１３ｂおよび１３ｃと、スイッチ回路１４とが設けられている。なお、表示部１１は、本発明の「第１表示部」の一例であり、駆動ＩＣ１２は、本発明の「駆動回路」の一例である。また、レベルシフタ１３ｃは、本発明の「電圧変換回路」の一例であり、スイッチ回路１４は、本発明の「第１スイッチ回路」の一例である。
【００２３】
表示部１１は、画素１１０がマトリクス状に配置されたメインディスプレイ１１ａと、メインディスプレイ１１ａの一辺に沿って配置され、メインディスプレイ１１ａのゲート線を駆動（走査）するためのＶスキャナ（垂直スキャナ）１１ｂと、メインディスプレイ１１ａの一辺と実質的に直交する辺に沿って配置され、メインディスプレイ１１ａの信号線を駆動するためのＨＳＷ（水平スイッチ）１１ｃおよびＤＳＷ（プリチャージ用スイッチ）１１ｄとを含んでいる。また、メインディスプレイ１１ａの各々の画素１１０は、ドレインが信号線に接続されるとともに、ゲートがゲート線に接続されたｎ型のトランジスタ１１０ａと、トランジスタ１１０ａのソースに接続された液晶１１０ｂおよび補助容量１１０ｃとから構成されている。
【００２４】
サブ基板２０上には、表示部２１と、レベルシフタ２２ａ、２２ｂおよび２２ｃと、スイッチ回路２３とが設けられている。なお、表示部２１は、本発明の「第２表示部」の一例であり、レベルシフタ２２ｃは、本発明の「電圧変換回路」の一例であり、スイッチ回路２３は、本発明の「第２スイッチ回路」の一例である。
【００２５】
表示部２１は、画素２１０がマトリクス状に配置されたサブディスプレイ２１ａと、サブディスプレイ２１ａの一辺に沿って配置され、サブディスプレイ２１ａのゲート線を駆動（走査）するためのＶスキャナ（垂直スキャナ）２１ｂと、サブディスプレイ２１ａの一辺と実質的に直交する辺に沿って配置され、サブディスプレイ２１ａの信号線を駆動するためのＨＳＷ（水平スイッチ）２１ｃおよびＤＳＷ（プリチャージ用スイッチ）２１ｄとを含んでいる。このＶスキャナ２１ｂ、ＨＳＷ２１ｃおよびＤＳＷ２１ｄは、サブディスプレイ２１ａの画素を駆動するために設けられている。また、サブディスプレイ２１ａの各々の画素２１０は、ドレインが信号線に接続されるとともに、ゲートがゲート線に接続されたｎ型のトランジスタ２１０ａと、トランジスタ２１０ａのソースに接続された液晶２１０ｂおよび補助容量２１０ｃとから構成されている。
【００２６】
ここで、第１実施形態では、メイン基板１０に設けられた駆動ＩＣ１２は、表示部１１のＶスキャナ１１ｂまたは表示部２１のＶスキャナ２１ｂを制御するためのスタート信号ＳＴＶ、クロック信号ＣＫＶおよびイネーブル信号ＶＥＮＢ（以下、これらの信号をＶ系制御信号ＳＶという）と、表示部１１のＨＳＷ１１ｃまたは表示部２１のＨＳＷ２１ｃを制御するためのイネーブル信号ＲＥＮＢ、ＧＥＮＢおよびＢＥＮＢ（以下、これらの信号をＨ系制御信号ＳＨという）と、表示部１１のＤＳＷ１１ｄまたは表示部２１のＤＳＷ２１ｄを制御するためのプリチャージ信号ＤＳＧと、メインディスプレイ１１ａまたはサブディスプレイ２１ａを選択するためのディスプレイ選択信号ＭＳ−ＳＥＬとを出力する機能を有する。なお、Ｖ系制御信号ＳＶ、Ｈ系制御信号ＳＨおよびプリチャージ信号ＤＳＧは、本発明の「制御信号」の一例であり、ディスプレイ選択信号ＭＳ−ＳＥＬは、本発明の「第１選択信号」および「第２選択信号」の一例である。
【００２７】
また、Ｖ系制御信号ＳＶは、表示部１１を駆動する際には、図１に示すように、レベルシフタ１３ｂおよびスイッチ回路１４を介して表示部１１のＶスキャナ１１ｂに供給されるとともに、表示部２１を駆動する際には、図２に示すように、ＦＰＣ３０の配線３１、レベルシフタ２２ｂおよびスイッチ回路２３を介して表示部２１のＶスキャナ２１ｂに供給されるように構成されている。なお、図１および図２では、簡略化のため、Ｖ系制御信号ＳＶ用の配線として、１つの配線系統のみを示したが、実際には、Ｖ系制御信号ＳＶがそれぞれ供給される３つの配線系統が設けられている。
【００２８】
また、Ｈ系制御信号ＳＨは、表示部１１を駆動する際には、図１に示すように、レベルシフタ１３ａおよびスイッチ回路１４を介して表示部１１のＨＳＷ１１ｃに供給されるとともに、表示部２１を駆動する際には、図２に示すように、ＦＰＣ３０の配線３２、レベルシフタ２２ａおよびスイッチ回路２３を介して表示部２１のＨＳＷ２１ｃに供給されるように構成されている。なお、図１および図２では、簡略化のため、Ｈ系制御信号ＳＨ用の配線として、１つの配線系統のみを示したが、実際には、Ｈ系制御信号ＳＨがそれぞれ供給される３つの配線系統が設けられている。
【００２９】
また、プリチャージ信号ＤＳＧは、表示部１１を駆動する際には、図１に示すように、レベルシフタ１３ａおよびスイッチ回路１４を介して表示部１１のＤＳＷ１１ｄに供給されるとともに、表示部２１を駆動する際には、図２に示すように、ＦＰＣ３０の配線３３、レベルシフタ２２ａおよびスイッチ回路２３を介して表示部２１のＤＳＷ２１ｄに供給されるように構成されている。
【００３０】
また、第１実施形態では、ディスプレイ選択信号ＭＳ−ＳＥＬは、レベルシフタ１３ｃを介してスイッチ回路１４に供給されるとともに、ＦＰＣ３０の配線３４およびレベルシフタ２２ｃを介してスイッチ回路２３に供給されるように構成されている。
【００３１】
また、第１実施形態では、レベルシフタ１３ａは、駆動ＩＣ１２から出力されるプリチャージ信号ＤＳＧの電圧（たとえば、約０Ｖ〜約５Ｖ）をＤＳＷ１１ｄを駆動することが可能な電圧（たとえば、約０Ｖ〜約８Ｖ）に変換するとともに、Ｈ系制御信号ＳＨの電圧（たとえば、約０Ｖ〜約５Ｖ）をＨＳＷ１１ｃを駆動することが可能な電圧（たとえば、約０Ｖ〜約８Ｖ）に変換するために設けられている。また、レベルシフタ１３ｂは、駆動ＩＣ１２から出力されるＶ系制御信号ＳＶの電圧（たとえば、約０Ｖ〜約５Ｖ）をＶスキャナ１１ｂを駆動することが可能な電圧（たとえば、約０Ｖ〜約８Ｖ）に変換するために設けられている。また、レベルシフタ１３ｃは、駆動ＩＣ１２から出力されるディスプレイ選択信号ＭＳ−ＳＥＬの電圧（たとえば、約０Ｖ〜約５Ｖ）を後述するスイッチ１４ａ、１４ｂおよび１４ｃを駆動することが可能な電圧（たとえば、約０Ｖ〜約８Ｖ）に変換するために設けられている。
【００３２】
また、第１実施形態では、スイッチ回路１４は、スイッチ１４ａ、１４ｂおよび１４ｃを含んでいる。このスイッチ１４ａ、１４ｂおよび１４ｃは、駆動ＩＣ１２からディスプレイ選択信号ＭＳ−ＳＥＬが供給されることにより、オン状態およびオフ状態が制御されるように構成されている。なお、図１および図２では、簡略化のため、スイッチ１４ｂおよび１４ｃをそれぞれ１つずつ示したが、実際には、上記したように、３つのスイッチ１４ｂと、３つのスイッチ１４ｃとが設けられている。また、スイッチ１４ａ、１４ｂおよび１４ｃは、本発明の「第１スイッチ」の一例である。
【００３３】
また、第１実施形態では、スイッチ１４ａは、オン状態の場合に、図１に示すように、プリチャージ信号ＤＳＧをＤＳＷ１１ｄに供給するとともに、オフ状態の場合に、図２に示すように、ＤＳＷ１１ｄが駆動しない負電圧ＶＶＥＥをＤＳＷ１１ｄに供給するように構成されている。また、スイッチ１４ｂは、オン状態の場合に、図１に示すように、Ｈ系制御信号ＳＨをＨＳＷ１１ｃに供給するとともに、オフ状態の場合に、図２に示すように、ＨＳＷ１１ｃが駆動しない負電圧ＶＶＥＥをＨＳＷ１１ｃに供給するように構成されている。また、スイッチ１４ｃは、オン状態の場合に、図１に示すように、Ｖ系制御信号ＳＶをＶスキャナ１１ｂに供給するとともに、オフ状態の場合に、図２に示すように、Ｖスキャナ１１ｂが駆動しないＧＮＤ電位の電圧をＶスキャナ１１ｂに供給するように構成されている。
【００３４】
また、第１実施形態では、レベルシフタ２２ａは、駆動ＩＣ１２から出力されるプリチャージ信号ＤＳＧの電圧（たとえば、約０Ｖ〜約５Ｖ）をＤＳＷ２１ｄを駆動することが可能な電圧（たとえば、約０Ｖ〜約８Ｖ）に変換するとともに、Ｈ系制御信号ＳＨの電圧（たとえば、約０Ｖ〜約５Ｖ）をＨＳＷ２１ｃを駆動することが可能な電圧（たとえば、約０Ｖ〜約８Ｖ）に変換するために設けられている。また、レベルシフタ２２ｂは、駆動ＩＣ１２から出力されるＶ系制御信号ＳＶの電圧（たとえば、約０Ｖ〜約５Ｖ）をＶスキャナ２１ｂを駆動することが可能な電圧（たとえば、約０Ｖ〜約８Ｖ）に変換するために設けられている。また、レベルシフタ２２ｃは、駆動ＩＣ１２から出力されるディスプレイ選択信号ＭＳ−ＳＥＬの電圧（たとえば、約０Ｖ〜約５Ｖ）を後述するスイッチ２３ａ、２３ｂおよび２３ｃを駆動することが可能な電圧（たとえば、約０Ｖ〜約８Ｖ）に変換するために設けられている。
【００３５】
また、第１実施形態では、スイッチ回路２３は、スイッチ２３ａ、２３ｂおよび２３ｃを含んでいる。このスイッチ２３ａ、２３ｂおよび２３ｃは、駆動ＩＣ１２からディスプレイ選択信号ＭＳ−ＳＥＬが供給されることにより、オン状態およびオフ状態が制御されるように構成されている。また、スイッチ２３ａ、２３ｂおよび２３ｃは、図１に示すように、スイッチ１４ａ、１４ｂおよび１４ｃをオン状態にするディスプレイ選択信号ＭＳ−ＳＥＬが供給されている場合にオフ状態になるとともに、図２に示すように、スイッチ１４ａ、１４ｂおよび１４ｃをオフ状態にするディスプレイ選択信号ＭＳ−ＳＥＬが供給されている場合にオン状態になるように構成されている。なお、図１および図２では、簡略化のため、スイッチ２３ｂおよび２３ｃをそれぞれ１つずつ示したが、実際には、上記したように、３つのスイッチ２３ｂと、３つのスイッチ２３ｃとが設けられている。また、スイッチ２３ａ、２３ｂおよび２３ｃは、本発明の「第２スイッチ」の一例である。
【００３６】
また、第１実施形態では、スイッチ２３ａは、オン状態の場合に、図２に示すように、プリチャージ信号ＤＳＧをＤＳＷ２１ｄに供給するとともに、オフ状態の場合に、図１に示すように、ＤＳＷ２１ｄが駆動しない負電圧ＶＶＥＥをＤＳＷ２１ｄに供給するように構成されている。また、スイッチ２３ｂは、オン状態の場合に、図２に示すように、Ｈ系制御信号ＳＨをＨＳＷ２１ｃに供給するとともに、オフ状態の場合に、図１に示すように、ＨＳＷ２１ｃが駆動しない負電圧ＶＶＥＥをＨＳＷ２１ｃに供給するように構成されている。また、スイッチ２３ｃは、オン状態の場合に、図２に示すように、Ｖ系制御信号ＳＶをＶスキャナ２１ｂに供給するとともに、オフ状態の場合に、図１に示すように、Ｖスキャナ２１ｂが駆動しないＧＮＤ電位の電圧をＶスキャナ２１ｂに供給するように構成されている。
【００３７】
次に、図１および図２を参照して、本発明の第１実施形態による液晶表示装置の表示動作について説明する。
【００３８】
まず、メインディスプレイ１１ａのみを表示させる場合には、図１に示すように、ディスプレイ選択信号ＭＳ−ＳＥＬをメインディスプレイ１１ａを選択するための信号状態にすることにより、スイッチ１４ａ、１４ｂおよび１４ｃをオン状態にするとともに、スイッチ２３ａ、２３ｂおよび２３ｃをオフ状態にする。これにより、表示部１１のＤＳＷ１１ｄには、駆動ＩＣ１２からレベルシフタ１３ａおよびスイッチ１４ａを介してプリチャージ信号ＤＳＧが供給される。また、表示部１１のＨＳＷ１１ｃには、駆動ＩＣ１２からレベルシフタ１３ａおよびスイッチ１４ｂを介してＨ系制御信号ＳＨが供給される。また、表示部１１のＶスキャナ１１ｂには、駆動ＩＣ１２からレベルシフタ１３ｂおよびスイッチ１４ｃを介してＶ系制御信号ＳＶが供給される。その一方、表示部２１のＤＳＷ２１ｄおよびＨＳＷ２１ｃには、負電圧ＶＶＥＥが供給されるとともに、表示部２１のＶスキャナ２１ｂには、ＧＮＤ電位の電圧が供給される。その結果、表示部１１のみに表示動作を制御するためのプリチャージ信号ＤＳＧ、Ｈ系制御信号ＳＨおよびＶ系制御信号ＳＶが供給されるので、表示部１１のメインディスプレイ１１ａのみが表示される。
【００３９】
次に、サブディスプレイ２１ａのみを表示させる場合には、図２に示すように、ディスプレイ選択信号ＭＳ−ＳＥＬをサブディスプレイ２１ａを選択するための信号状態にすることにより、スイッチ１４ａ、１４ｂおよび１４ｃをオフ状態にするとともに、スイッチ２３ａ、２３ｂおよび２３ｃをオン状態にする。これにより、表示部２１のＤＳＷ２１ｄには、駆動ＩＣ１２からＦＰＣ３０の配線３３、レベルシフタ２２ａおよびスイッチ２３ａを介してプリチャージ信号ＤＳＧが供給される。また、表示部２１のＨＳＷ２１ｃには、駆動ＩＣ１２からＦＰＣ３０の配線３２、レベルシフタ２２ａおよびスイッチ２３ｂを介してＨ系制御信号ＳＨが供給される。また、表示部２１のＶスキャナ２１ｂには、駆動ＩＣ１２からＦＰＣ３０の配線３１、レベルシフタ２２ｂおよびスイッチ２３ｃを介してＶ系制御信号ＳＶが供給される。その一方、表示部１１のＤＳＷ１１ｄおよびＨＳＷ１１ｃには、負電圧ＶＶＥＥが供給されるとともに、表示部１１のＶスキャナ１１ｂには、ＧＮＤ電位の電圧が供給される。その結果、表示部２１のみに表示動作を制御するためのプリチャージ信号ＤＳＧ、Ｈ系制御信号ＳＨおよびＶ系制御信号ＳＶが供給されるので、表示部２１のサブディスプレイ２１ａのみが表示される。
【００４０】
また、メインディスプレイ１１ａおよびサブディスプレイ２１ａの両方を表示させる場合には、上記したメインディスプレイ１１ａのみを表示させる動作と、サブディスプレイ２１ａのみを表示させる動作とが交互に繰り返し行われる。この場合、メインディスプレイ１１ａのみを表示させる動作と、サブディスプレイ２１ａのみを表示させる動作とをたとえば１／１２０秒毎に交互に繰り返すようにすれば、メインディスプレイ１１ａおよびサブディスプレイ２１ａが常時表示されているように使用者に認識させることが可能である。
【００４１】
なお、低温ポリシリコン技術を用いてガラス基板上に回路機能を集積するシステム・オン・グラス（ＳＯＧ）により、メイン基板１０上に駆動ＩＣ１２、レベルシフタ１３ｃ、１３ｂ、１３ａおよびスイッチ回路１４を形成するとともに、サブ基板２０上にレベルシフタ２２ｃ、２２ｂ、２２ａおよびスイッチ回路２３を形成するようにしてもよい。これにより、部品点数の削減および組立の簡便化を図ることが可能である。また、回路基板の面積を縮小化することができるので、液晶表示装置の小型化および軽量化を図ることが可能である。
【００４２】
第１実施形態では、上記のように、表示部１１および２１を駆動する駆動ＩＣ１２を設けることによって、第１表示部を駆動する駆動回路と第２表示部を駆動する駆動回路とをそれぞれ別個に設ける場合と異なり、１つの駆動ＩＣ１２により表示部１１および２１を駆動することができるので、消費電力が増大するのを抑制することができるとともに、回路基板の面積を縮小化することができる。したがって、同サイズおよび同品位の表示画面が機器の表裏や左右に配置され、両方の表示画面で常時表示を行なうことができる携帯機器（携帯電話機または携帯型映像再生機など）に第１実施形態を適用した場合、駆動ＩＣ１２が１つしか必要ないことにより、部品点数の削減および組立の簡便化を図ることができる。また、回路基板の面積を縮小化することができるので、液晶表示装置の小型化および軽量化を図ることができる。なお、表示画面のサイズは同サイズに限られないし、画質も同品位に限られない。また、表示部の方式も特定の方式に限られず、液晶または有機ＥＬなどの適用可能な表示方式であればよく、複数の表示部の表示方式は異なっていてもよい。
【００４３】
また、第１実施形態では、駆動ＩＣ１２から出力される表示動作を制御するためのプリチャージ信号ＤＳＧ、Ｈ系制御信号ＳＨおよびＶ系制御信号ＳＶが表示部１１または２１のいずれか一方に入力されるように切り替えるスイッチ回路１４および２３を設けることによって、駆動ＩＣ１２が１つの表示部１１または２１に対する上記各信号を生成して、その生成された信号をスイッチ回路１４および２３により表示部１１および２１にそれぞれ切り替えて出力することができるので、容易に１つの駆動ＩＣ１２を用いて２つの表示部１１および２１を制御することができる。
【００４４】
また、第１実施形態では、メイン基板１０にスイッチ回路１４を設けるとともに、サブ基板２０にスイッチ回路２３を設けることによって、スイッチ回路１４および２３が、それぞれ、駆動ＩＣ１２から出力される上記各信号を表示部１１および２１に入力させるか否かのみを制御するという簡単な制御により、駆動ＩＣ１２から出力される上記各信号が表示部１１または２１のいずれか一方に入力されるように切り替えることができるので、駆動回路から出力される信号を第１表示部または第２表示部のいずれか一方に入力されるように制御する１つのスイッチ回路を用いる場合に比べて、スイッチ回路１４および２３の回路構成を簡単化することができる。
【００４５】
また、第１実施形態では、スイッチ回路１４を、オン状態の場合に、駆動ＩＣ１２から出力される上記各信号を表示部１１に供給するとともに、オフ状態の場合に、駆動ＩＣ１２から出力される上記各信号を表示部１１に供給しないスイッチ１４ａ、１４ｂおよび１４ｃを含むとともに、スイッチ回路２３を、オン状態の場合に、駆動ＩＣ１２から出力される上記各信号を表示部２１に供給するとともに、オフ状態の場合に、駆動ＩＣ１２から出力される上記各信号を表示部２１に供給しないスイッチ２３ａ、２３ｂおよび２３ｃを含むように構成することによって、スイッチ１４ａ、１４ｂ、１４ｃ、２３ａ、２３ｂおよび２３ｃにより、駆動ＩＣ１２から出力される上記各信号を表示部１１および２１に入力させるか否かを容易に制御することができる。
【００４６】
また、第１実施形態では、駆動ＩＣ１２を、スイッチ１４ａ、１４ｂおよび１４ｃをオン状態にするとともに、スイッチ２３ａ、２３ｂおよび２３ｃをオフ状態にするディスプレイ選択信号ＭＳ−ＳＥＬ、または、スイッチ２３ａ、２３ｂおよび２３ｃをオン状態にするとともに、スイッチ１４ａ、１４ｂおよび１４ｃをオフ状態にするディスプレイ選択信号ＭＳ−ＳＥＬをスイッチ回路１４および２３に出力するように構成することによって、ディスプレイ選択信号ＭＳ−ＳＥＬにより、容易に、駆動ＩＣ１２から出力される上記各信号を表示部１１または２１のいずれか一方に入力させることができる。これにより、表示部１１のメインディスプレイ１１ａまたは表示部２１のサブディスプレイ２１ａのいずれか一方を表示させることができる。
【００４７】
また、第１実施形態では、駆動ＩＣ１２を、スイッチ１４ａ、１４ｂおよび１４ｃをオン状態にするとともに、スイッチ２３ａ、２３ｂおよび２３ｃをオフ状態にするディスプレイ選択信号ＭＳ−ＳＥＬと、スイッチ２３ａ、２３ｂおよび２３ｃをオン状態にするとともに、スイッチ１４ａ、１４ｂおよび１４ｃをオフ状態にするディスプレイ選択信号ＭＳ−ＳＥＬとを交互にスイッチ回路１４および２３に出力するように構成することによって、駆動ＩＣ１２からスイッチ１４ａ、１４ｂおよび１４ｃをオン状態にするとともに、スイッチ２３ａ、２３ｂおよび２３ｃをオフ状態にするディスプレイ選択信号ＭＳ−ＳＥＬが出力されている場合には、表示部１１に上記各信号が入力されるとともに、駆動ＩＣ１２からスイッチ２３ａ、２３ｂおよび２３ｃをオン状態にするとともに、スイッチ１４ａ、１４ｂおよび１４ｃをオフ状態にするディスプレイ選択信号ＭＳ−ＳＥＬが出力されている場合には、表示部２１に上記各信号が入力されるので、表示部１１のメインディスプレイ１１ａおよび表示部２１のサブディスプレイ２１ａの両方を表示させることができる。
【００４８】
また、第１実施形態では、ディスプレイ選択信号ＭＳ−ＳＥＬの電圧を変換するためのレベルシフタ１３ｃおよび２２ｃを設けることによって、容易に、ディスプレイ選択信号ＭＳ−ＳＥＬの電圧をスイッチ１４ａ、１４ｂ、１４ｃ、２３ａ、２３ｂおよび２３ｃのオン状態およびオフ状態を切り替えることが可能な電圧に変換することができる。
【００４９】
（第２実施形態）
図３および図４は、本発明の第２実施形態による液晶表示装置の構成を示した概略図である。図３および図４を参照して、この第２実施形態では、上記第１実施形態と異なり、スイッチ回路５３がメイン基板５０のみに設けられ、スイッチ回路がサブ基板６０に設けられていない液晶表示装置の構成について説明する。
【００５０】
この第２実施形態による液晶表示装置は、図３および図４に示すように、上記第１実施形態と同じ表示部１１を含むメイン基板５０と、上記第１実施形態と同じ表示部２１を含むサブ基板６０とを備えている。なお、メイン基板５０およびサブ基板６０は、それぞれ、本発明の「第１の基板」および「第２の基板」の一例である。また、メイン基板５０とサブ基板６０とは、ＦＰＣ（フレキシブルプリント配線板）７０を介して電気的に接続されている。
【００５１】
メイン基板５０上には、上記表示部１１に加えて、駆動ＩＣ５１と、レベルシフタ５２ａ、５２ｂおよび５２ｃと、スイッチ回路５３とが設けられている。なお、駆動ＩＣ５１は、本発明の「駆動回路」の一例であり、レベルシフタ５２ｃは、本発明の「電圧変換回路」の一例であり、スイッチ回路５３は、本発明の「第３スイッチ回路」の一例である。
【００５２】
ここで、第２実施形態では、メイン基板５０に設けられた駆動ＩＣ５１は、表示部１１のＶスキャナ１１ｂまたは表示部２１のＶスキャナ２１ｂを制御するためのスタート信号ＳＴＶおよびクロック信号ＣＫＶ（以下、これらの信号をＶ系制御信号ＳＶという）と、表示部１１のＨＳＷ１１ｃまたは表示部２１のＨＳＷ２１ｃを制御するためのイネーブル信号ＲＥＮＢ、ＧＥＮＢおよびＢＥＮＢ（以下、これらの信号をＨ系制御信号ＳＨという）と、表示部１１のＤＳＷ１１ｄまたは表示部２１のＤＳＷ２１ｄを制御するためのプリチャージ信号ＤＳＧと、メインディスプレイ１１ａまたはサブディスプレイ２１ａを選択するためのディスプレイ選択信号ＭＳ−ＳＥＬとを出力する機能に加えて、ＧＮＤ電位の電圧および負電圧ＶＶＥＥを供給する機能も有する。なお、第２実施形態のディスプレイ選択信号ＭＳ−ＳＥＬは、本発明の「第３選択信号」の一例である。
【００５３】
また、Ｖ系制御信号ＳＶは、表示部１１を駆動する際には、図３に示すように、レベルシフタ５２ｂおよびスイッチ回路５３を介して表示部１１のＶスキャナ１１ｂに供給されるとともに、表示部２１を駆動する際には、図４に示すように、レベルシフタ５２ｂ、スイッチ回路５３およびＦＰＣ７０の配線７１を介して表示部２１のＶスキャナ２１ｂに供給されるように構成されている。なお、図３および図４では、簡略化のため、Ｖ系制御信号ＳＶ用の配線として、１つの配線系統のみを示したが、実際には、Ｖ系制御信号ＳＶがそれぞれ供給される３つの配線系統が設けられている。
【００５４】
また、Ｈ系制御信号ＳＨは、表示部１１を駆動する際には、図３に示すように、レベルシフタ５２ａおよびスイッチ回路５３を介して表示部１１のＨＳＷ１１ｃに供給されるとともに、表示部２１を駆動する際には、図４に示すように、レベルシフタ５２ａ、スイッチ回路５３およびＦＰＣ７０の配線７２を介して表示部２１のＨＳＷ２１ｃに供給されるように構成されている。なお、図３および図４では、簡略化のため、Ｈ系制御信号ＳＨ用の配線として、１つの配線系統のみを示したが、実際には、Ｈ系制御信号ＳＨがそれぞれ供給される３つの配線系統が設けられている。
【００５５】
また、プリチャージ信号ＤＳＧは、表示部１１を駆動する際には、図３に示すように、レベルシフタ５２ａおよびスイッチ回路５３を介して表示部１１のＤＳＷ１１ｄに供給されるとともに、表示部２１を駆動する際には、図４に示すように、レベルシフタ５２ａ、スイッチ回路５３およびＦＰＣ７０の配線７３を介して表示部２１のＤＳＷ２１ｄに供給されるように構成されている。
【００５６】
また、第２実施形態では、ディスプレイ選択信号ＭＳ−ＳＥＬは、レベルシフタ５２ｃを介してスイッチ回路５３に供給されるように構成されている。
【００５７】
また、第２実施形態では、レベルシフタ５２ａは、駆動ＩＣ５１から出力されるプリチャージ信号ＤＳＧの電圧（たとえば、約０Ｖ〜約５Ｖ）をＤＳＷ１１ｄまたは２１ｄを駆動することが可能な電圧（たとえば、約０Ｖ〜約８Ｖ）に変換するとともに、Ｈ系制御信号ＳＨの電圧（たとえば、約０Ｖ〜約５Ｖ）をＨＳＷ１１ｃまたは２１ｃを駆動することが可能な電圧（たとえば、約０Ｖ〜約８Ｖ）に変換するために設けられている。また、レベルシフタ５２ｂは、駆動ＩＣ５１から出力されるＶ系制御信号ＳＶの電圧（たとえば、約０Ｖ〜約５Ｖ）をＶスキャナ１１ｂまたは２１ｂを駆動することが可能な電圧（たとえば、約０Ｖ〜約８Ｖ）に変換するために設けられている。また、レベルシフタ５２ｃは、駆動ＩＣ５１から出力されるディスプレイ選択信号ＭＳ−ＳＥＬの電圧（たとえば、約０Ｖ〜約５Ｖ）を後述するスイッチ５３ａ、５３ｂおよび５３ｃを駆動することが可能な電圧（たとえば、約０Ｖ〜約８Ｖ）に変換するために設けられている。
【００５８】
また、第２実施形態では、スイッチ回路５３は、スイッチ５３ａ、５３ｂおよび５３ｃを含んでいる。このスイッチ５３ａ、５３ｂおよび５３ｃは、駆動ＩＣ５１からディスプレイ選択信号ＭＳ−ＳＥＬが供給されることにより、第１の状態および第２の状態が制御されるように構成されている。なお、図３および図４では、簡略化のため、スイッチ５３ｂおよび５３ｃをそれぞれ１つずつ示したが、実際には、上記したように、３つのスイッチ５３ｂと、３つのスイッチ５３ｃとが設けられている。また、スイッチ５３ａ、５３ｂおよび５３ｃは、本発明の「第３スイッチ」の一例である。
【００５９】
また、第２実施形態では、スイッチ５３ａは、第１の状態の場合に、図３に示すように、プリチャージ信号ＤＳＧをＤＳＷ１１ｄに供給するとともに、ＤＳＷ２１ｄが駆動しない負電圧ＶＶＥＥをＤＳＷ２１ｄに供給し、第２の状態の場合に、図４に示すように、プリチャージ信号ＤＳＧをＤＳＷ２１ｄに供給するとともに、ＤＳＷ１１ｄが駆動しない負電圧ＶＶＥＥをＤＳＷ１１ｄに供給するように構成されている。また、スイッチ５３ｂは、第１の状態の場合に、図３に示すように、Ｈ系制御信号ＳＨをＨＳＷ１１ｃに供給するとともに、ＨＳＷ２１ｃが駆動しない負電圧ＶＶＥＥをＨＳＷ２１ｃに供給し、第２の状態の場合に、図４に示すように、Ｈ系制御信号ＳＨをＨＳＷ２１ｃに供給するとともに、ＨＳＷ１１ｃが駆動しない負電圧ＶＶＥＥをＨＳＷ１１ｃに供給するように構成されている。また、スイッチ５３ｃは、第１の状態の場合に、図３に示すように、Ｖ系制御信号ＳＶをＶスキャナ１１ｂに供給するとともに、Ｖスキャナ２１ｂが駆動しないＧＮＤ電位の電圧をＶスキャナ２１ｂに供給し、第２の状態の場合に、図４に示すように、Ｖ系制御信号ＳＶをＶスキャナ２１ｂに供給するとともに、Ｖスキャナ１１ｂが駆動しないＧＮＤ電位の電圧をＶスキャナ１１ｂに供給するように構成されている。
【００６０】
次に、図３および図４を参照して、本発明の第２実施形態による液晶表示装置の表示動作について説明する。
【００６１】
まず、メインディスプレイ１１ａのみを表示させる場合には、図３に示すように、ディスプレイ選択信号ＭＳ−ＳＥＬをメインディスプレイ１１ａを選択するための信号状態にすることにより、スイッチ５３ａ、５３ｂおよび５３ｃを第１の状態にする。これにより、表示部１１のＤＳＷ１１ｄには、駆動ＩＣ５１からレベルシフタ５２ａおよびスイッチ５３ａを介してプリチャージ信号ＤＳＧが供給される。また、表示部１１のＨＳＷ１１ｃには、駆動ＩＣ５１からレベルシフタ５２ａおよびスイッチ５３ｂを介してＨ系制御信号ＳＨが供給される。また、表示部１１のＶスキャナ１１ｂには、駆動ＩＣ５１からレベルシフタ５２ｂおよびスイッチ５３ｃを介してＶ系制御信号ＳＶが供給される。その一方、表示部２１のＤＳＷ２１ｄおよびＨＳＷ２１ｃには、ＤＳＷ２１ｄおよびＨＳＷ２１ｃが駆動しない負電圧ＶＶＥＥが供給されるとともに、表示部２１のＶスキャナ２１ｂには、Ｖスキャナ２１ｂが駆動しないＧＮＤ電位の電圧が供給される。その結果、表示部１１のみに表示動作を制御するためのプリチャージ信号ＤＳＧ、Ｈ系制御信号ＳＨおよびＶ系制御信号ＳＶが供給されるので、表示部１１のメインディスプレイ１１ａのみが表示される。
【００６２】
次に、サブディスプレイ２１ａのみを表示させる場合には、図４に示すように、ディスプレイ選択信号ＭＳ−ＳＥＬをサブディスプレイ２１ａを選択するための信号状態にすることににより、スイッチ５３ａ、５３ｂおよび５３ｃを第２の状態にする。これにより、表示部２１のＤＳＷ２１ｄには、駆動ＩＣ５１からレベルシフタ５２ａ、スイッチ５３ａおよびＦＰＣ７０の配線７３を介してプリチャージ信号ＤＳＧが供給される。また、表示部２１のＨＳＷ２１ｃには、駆動ＩＣ５１からレベルシフタ５２ａ、スイッチ５３ｂおよびＦＰＣ７０の配線７２を介してＨ系制御信号ＳＨが供給される。また、表示部２１のＶスキャナ２１ｂには、駆動ＩＣ５１からレベルシフタ５２ｂ、スイッチ５３ｃおよびＦＰＣ７０の配線７１を介してＶ系制御信号ＳＶが供給される。その一方、表示部１１のＤＳＷ１１ｄおよびＨＳＷ１１ｃには、ＤＳＷ１１ｄおよびＨＳＷ１１ｃが駆動しない負電圧ＶＶＥＥが供給されるとともに、表示部１１のＶスキャナ１１ｂには、Ｖスキャナ１１ｂが駆動しないＧＮＤ電位の電圧が供給される。その結果、表示部２１のみに表示動作を制御するためのプリチャージ信号ＤＳＧ、Ｈ系制御信号ＳＨおよびＶ系制御信号ＳＶが供給されるので、表示部２１のサブディスプレイ２１ａのみが表示される。
【００６３】
また、メインディスプレイ１１ａおよびサブディスプレイ２１ａの両方を表示させる場合には、上記したメインディスプレイ１１ａのみを表示させる動作と、サブディスプレイ２１ａのみを表示させる動作とが交互に繰り返し行われる。この場合、メインディスプレイ１１ａのみを表示させる動作と、サブディスプレイ２１ａのみを表示させる動作とをたとえば１／１２０秒毎に交互に繰り返すようにすれば、メインディスプレイ１１ａおよびサブディスプレイ２１ａが常時表示されているように使用者に認識させることが可能である。
【００６４】
第２実施形態では、上記のように、メイン基板５０のみにスイッチ回路５３を設けることによって、１つのスイッチ回路５３により、容易に、駆動ＩＣ５１から出力される表示動作を制御するためのプリチャージ信号ＤＳＧ、Ｈ系制御信号ＳＨおよびＶ系制御信号ＳＶを表示部１１または２１のいずれか一方に入力させることができる。
【００６５】
なお、第２実施形態のその他の効果は上記第１実施形態と同様である。
【００６６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６７】
たとえば、上記第１および第２実施形態では、制御信号の一例としてプリチャージ信号ＤＳＧ、Ｈ系制御信号ＳＨおよびＶ系制御信号ＳＶを示したが、本発明はこれに限らず、表示部の表示動作を制御する信号であればその他の信号であってもよい。
【００６８】
また、上記第１および第２実施形態では、２つの表示部を設けるとともに、その２つの表示部を駆動する１つの駆動ＩＣを設ける例を示したが、本発明はこれに限らず、３つ以上の表示部を設けるとともに、その３つ以上の表示部を駆動する１つの駆動ＩＣを設けるようにしてもよい。この場合、ディスプレイ選択信号ＭＳ−ＳＥＬにより、スイッチ回路を切り替えることによって、所望の表示部を表示させることができる。また、スイッチ回路の切り替えを高速に行なうことにより、使用者に複数の表示部が常時表示されているように認識させることができる。
【００６９】
また、上記第２実施形態では、駆動ＩＣ５１がＧＮＤ電位の電圧と負電圧ＶＶＥＥとを供給する例を示したが、本発明はこれに限らず、ＧＮＤ電位の電圧と負電圧ＶＶＥＥとを供給する電圧供給部を別個に設けるようにしてもよい。
【図面の簡単な説明】
【００７０】
【図１】本発明の第１実施形態による液晶表示装置の構成を示した概略図である。
【図２】本発明の第１実施形態による液晶表示装置の構成を示した概略図である。
【図３】本発明の第２実施形態による液晶表示装置の構成を示した概略図である。
【図４】本発明の第２実施形態による液晶表示装置の構成を示した概略図である。
【符号の説明】
【００７１】
１０、５０  メイン基板（第１の基板）
１１  表示部（第１表示部）
１２、５１  駆動ＩＣ（駆動回路）
１３ｃ、２２ｃ、５２ｃ  レベルシフタ（電圧変換回路）
１４  スイッチ回路（第１スイッチ回路）
１４ａ、１４ｂ、１４ｃ  スイッチ（第１スイッチ）
２０、６０  サブ基板（第２の基板）
２１  表示部（第２表示部）
２３  スイッチ回路（第２スイッチ回路）
２３ａ、２３ｂ、２３ｃ  スイッチ（第２スイッチ）
５３  スイッチ回路（第３スイッチ回路）
５３ａ、５３ｂ、５３ｃ  スイッチ（第３スイッチ）
【図１】
2008096740.tif 000003
【図２】
2008096740.tif 000004
【図３】
2008096740.tif 000005
【図４】
2008096740.tif 000006